(57)【要約】    【課題】      頻繁に遷移するノーマルフレームとコンプレストフレームとで１スロット分の相関値を求めるまでのデータ処理の制御タイミングを変更することなく遅延プロファイルの作成処理を行うこと。    【解決手段】  相関器１００は、逆拡散器１０５にて受信ＩＱデータのパイロットシンボルに対して、コード発生器１０１にて発生したコンプレストフレーム用の拡散コードを用いて逆拡散を行い、その逆拡散結果をＮシンボル加算器１０６ａ、１０６ｂに与える。Ｎシンボル加算器１０６ａ、１０６ｂは、ラッチタイミングを変更し、１シンボルを構成するチップ毎に加算結果をラッチし、時間（０）での１シンボルの相関値（０）を得る。そして、加算結果をシンボル毎にクリアし、次のシンボルに対しての累積加算を行う。これを１スロット内のパイロットシンボルに対して行い、相関値（０）を象限補正部１０２に与える。  【選択図】      図１
2006115338.tif 000002
【特許請求の範囲】
【請求項１】
個別物理チャネルを用いて遅延プロファイルを作成する広帯域ＣＤＭＡ移動機における同期制御装置において、ノーマルフレームとコンプレストフレームとを判断する手段と、ノーマルフレームからコンプレストフレームに遷移したとき相関値を累積加算し１スロット分の相関値を求める際の制御タイミングを変更することなくコンプレストフレームでの遅延プロファイルを作成する手段と、を具備することを特徴とする同期制御装置。
【請求項２】
前記個別物理チャネルの１シンボルを構成するチップ数が共通パイロットチャネルのチップ数を超えるとき、前記個別物理チャネルの１シンボルを前記共通パイロットチャネルのチップ数に分割して処理する手段、を具備することを特徴とする請求項１記載の同期制御装置。
【請求項３】
個別物理チャネルを用いて遅延プロファイルを作成する広帯域ＣＤＭＡ移動機における同期制御装置において、ノーマルフレームとコンプレストフレームとを判断する工程と、ノーマルフレームからコンプレストフレームに遷移したとき相関値を累積加算し１スロット分の相関値を求める際の制御タイミングを変更することなくコンプレストフレームでの遅延プロファイルを作成する工程と、を具備することを特徴とする遅延プロファイル作成の制御方法。
【請求項４】
前記個別物理チャネルの１シンボルを構成するチップ数が共通パイロットチャネルのチップ数を超えるとき、前記個別物理チャネルの１シンボルを前記共通パイロットチャネルのチップ数に分割して処理する工程、を具備することを特徴とする請求項３記載の遅延プロファイル作成の制御方法。
【発明の詳細な説明】
【技術分野】
【０００１】
本発明は、広帯域ＣＤＭＡ移動通信システムでの移動機が備える個別物理チャネルを用いて遅延プロファイルを作成する同期制御装置及び遅延プロファイル作成の制御方法に関する。
【背景技術】
【０００２】
３ＧＰＰ規格Release５では、個別物理チャネル（ＤＰＣＨ）を利用したビームフォーミング（Beam Forming）機能が追加して規定されている。個別物理チャネルを利用したビームフォーミングは、アダプティブ・アレイ・アンテナ等を使用して基地局の送受信時に特定の方向に空間的に高い利得を持たせる技術である。上り、下りリンク共に希望移動機の電波到来方向に指向性を持たせることにより、周辺からの干渉を抑圧し、システム容量を増やすことができる。
【０００３】
ところで、３ＧＰＰ規格Release９９では、共通パイロットチャネルを用いて作成された遅延プロファイルや検出パスを個別物理チャネルの復調に利用することが規定されている。しかし、セルにおいて一様に送信される共通パイロットチャネル（ＣＰＩＣＨ）とビームフォーミング送信される個別物理チャネルとでは、伝搬環境によって信号の到達時間が異なる場合があるため、共通パイロットチャネルを用いて作成された遅延プロファイルや検出パスを個別物理チャネルの復調に利用することが出来ない。そのため別途、個別物理チャネルに含まれるパイロットシンボル（Pilot Symbol）を用いて遅延プロファイルを作成する同期処理を行う必要がある。
【０００４】
個別物理チャネルに含まれるパイロットシンボルを用いて遅延プロファイルを作成する場合、コンプレストモード（Compressed Mode）時には、送信停止区間（Ｇａｐ）だけでなく、その送信停止区間を含むコンプレストフレーム（Compressed Frame）であるか否かを意識した制御を行う必要がある。この送信停止区間を意識したプロファイル作成手法は例えば特許文献１に開示されている。しかし、この特許文献１では、送信停止区間でのプロファイル作成を停止する制御を開示しているだけで、コンプレストフレームでの制御については特に触れていない。
【特許文献１】特開２００３−２９８４６８号公報
【発明の開示】
【発明が解決しようとする課題】
【０００５】
個別物理チャネルに含まれるパイロットシンボルを用いて遅延プロファイルを作成する場合、Spreading factor（以降「ＳＦ」と記す)が１／２になるコンプレストモード方式Ｂ（Compressed Mode Method B）では、コンプレストフレームでのパイロットシンボルを構成するチップ（Chip）数が１／２になり、シンボル数が２倍になるので、拡散コードの変更以外にも、１スロット分の相関値を求めるまでのデータ処理の制御タイミングを変更する必要がある。しかしながら、頻繁に遷移するノーマルフレーム（Normal frame）とコンプレストフレームとでデータ処理の制御タイミングを変更するのは煩わしい。
【０００６】
本発明は、かかる点に鑑みてなされたものであり、広帯域ＣＤＭＡ通信システムでの移動機において個別物理チャネルを用いて遅延プロファイルを作成する場合に、頻繁に遷移するノーマルフレームとコンプレストフレームとで１スロット分の相関値を求めるまでのデータ処理の制御タイミングを変更することなく遅延プロファイルの作成処理が行える同期制御装置及び遅延プロファイル作成の制御方法を提供することを目的とする。
【課題を解決するための手段】
【０００７】
かかる課題を解決するため、本発明に係る同期制御装置は、個別物理チャネルを用いて遅延プロファイルを作成する広帯域ＣＤＭＡ移動機における同期制御装置において、ノーマルフレームとコンプレストフレームとを判断する手段と、ノーマルフレームからコンプレストフレームに遷移したとき相関値を累積加算し１スロット分の相関値を求める際の制御タイミングを変更することなくコンプレストフレームでの遅延プロファイルを作成する手段とを具備する構成を採る。
【０００８】
この構成によれば、ノーマルフレームとコンプレストフレームとで１スロット分の相関値を求めるまでのデータ処理の制御タイミングを変更することなく遅延プロファイルの作成処理が行える。
【０００９】
本発明に係る同期制御装置は、上記の発明において、前記個別物理チャネルの１シンボルを構成するチップ数が共通パイロットチャネルのチップ数を超えるとき、前記個別物理チャネルの１シンボルを前記共通パイロットチャネルのチップ数に分割して処理する手段を具備する構成を採る。
【００１０】
この構成によれば、演算ビット幅の増加を抑えることができる。
【００１１】
本発明に係る遅延プロファイル作成の制御方法は、個別物理チャネルを用いて遅延プロファイルを作成する広帯域ＣＤＭＡ移動機における同期制御装置において、ノーマルフレームとコンプレストフレームとを判断する工程と、ノーマルフレームからコンプレストフレームに遷移したとき相関値を累積加算し１スロット分の相関値を求める際の制御タイミングを変更することなくコンプレストフレームでの遅延プロファイルを作成する工程とを具備するようにした。
【００１２】
この方法によれば、ノーマルフレームとコンプレストフレームとで１スロット分の相関値を求めるまでのデータ処理の制御タイミングを変更することなく遅延プロファイルの作成処理が行える。
【００１３】
本発明に係る遅延プロファイル作成の制御方法は、上記の発明において、前記個別物理チャネルの１シンボルを構成するチップ数が共通パイロットチャネルのチップ数を超えるとき、前記個別物理チャネルの１シンボルを前記共通パイロットチャネルのチップ数に分割して処理する工程を具備するようにした。
【００１４】
この方法によれば、演算ビット幅の増加を抑えることができる。
【発明の効果】
【００１５】
本発明によれば、頻繁に遷移するノーマルフレームとコンプレストフレームとで１スロット分の相関値を求めるまでのデータ処理の制御タイミングを変更することなく遅延プロファイルを作成することができ、遅延プロファイル作成制御の簡素化が図れるという効果が得られる。
【発明を実施するための最良の形態】
【００１６】
本発明の骨子は、１シンボルを構成するチップ数がノーマルフレームでの１シンボルとコンプレストモード方式Ｂにおけるコンプレストフレームでの２シンボルとで同じであること、またコンプレストモード方式Ｂにおけるコンプレストモード時のパイロットビットパターンは、ノーマルモード時とは異なり、２シンボル毎に同じパターンであることを利用して、コンプレストモード方式Ｂにおけるコンプレストフレームでの遅延プロファイル作成において、従来では１シンボル毎に求めていた相関値を、本発明では２シンボル分まとめて相関値を求めるように変更し、つまり１スロット分の相関値を求めるまでのデータ処理の制御タイミングをノーマルフレームでの遅延プロファイル作成時と同じにすることにより、頻繁に遷移するノーマルフレームとコンプレストフレームとで制御タイミングを変更せずに遅延プロファイルを作成することである。
【００１７】
以下、本発明の実施の形態について図面を参照して詳細に説明する。
【００１８】
（実施の形態１）
図１は、本発明の一実施の形態に係る同期制御装置の構成を示すブロック図である。図１において、広帯域ＣＤＭＡ通信システムにおける移動機が備える同期制御装置は、相関器１００と、コード発生器１０１と、象限補正部１０２と、スロット加算部１０３と、電力計算部１０４と、を備えている。
【００１９】
コード発生器１０１は、割り当てられた通信チャネルに対応した同相成分信号用の拡散コードＲＥＰＩ及び直交成分信号用の拡散コードＲＥＰＱを発生し、相関器１００に出力する。
【００２０】
相関器１００は、受信系にて直交復調されたパイロット信号のＩ信号（同相成分信号）及びＱ信号（直交成分信号）とコード発生器１０１が発生した同相成分信号用の拡散コードＲＥＰＩ及び直交成分信号用の拡散コードＲＥＰＱとを掛け合わせてＩ信号及びＱ信号についての相関結果を出力する逆拡散器１０５と、Ｎシンボル毎に初期化され逆拡散器１０５が出力するＩ信号及びＱ信号についての相関値をＮシンボル分加算することを繰り返すＮシンボル加算器１０６ａ，１０６ｂとを備えている。
【００２１】
象限補正部１０２は、外部からＮシンボル毎に更新されるパイロットビットパターンが入力される。象限補正部１０２は、この外部から入力されるパイロットビットパターンに従って、Ｎシンボル加算器１０６ａ，１０６ｂが出力するＩ信号及びＱ信号についてのＮシンボル分加算結果の象限補正を行う。なお、外部から入力されるパイロットビットパターンは、ノーマルフレームとコンプレストフレームとでは異なっている。
【００２２】
スロット加算部１０３は、１スロット毎に初期化され象限補正部１０２が象限補正したＩ信号及びＱ信号についての１シンボル分の相関値を１スロット分加算することを繰り返す１スロット加算器１０３ａ，１０３ｂを備えている。
【００２３】
電力計算部１０４は、スロット加算部１０３が出力するＩ信号及びＱ信号についての１スロット分加算した相関値を用いて電力計算（Ｉ２＋Ｑ２）を行い、遅延プロファイルを生成する。
【００２４】
次に、図１〜図５を参照して、以上のように構成される本実施の形態に係る遅延プロファイル作成装置の動作について説明する。なお、図２は、ノーマルフレームのある時間（０）での遅延プロファイル作成における制御タイミングを説明する図である。図３は、図２に示すノーマル状態からコンプレストモード方式Ｂに移行した場合のコンプレストフレームでの遅延プロファイル作成における従来行われている制御タイミングを説明する図である。図４は、図２に示すノーマル状態からコンプレストモード方式Ｂに移行した場合のコンプレストフレームでの遅延プロファイル作成における本実施の形態による制御タイミングを説明する図である。図５は、１シンボル当たりのチップ数がＣＰＩＣＨよりも大きい場合に１シンボルを分割して処理する動作を説明する図である。ここで、発明の理解を容易にするため、スロットフォーマットやパイロットビットパターンは実際に使用されているものとは異なるものを使用している。
【００２５】
図２において、ノーマルフレームでは、ＳＦ＝８、１スロットのパイロットシンボル数＝４である。相関器１００では、逆拡散器１０５にて受信ＩＱデータのパイロットシンボルに対して、コード発生器１０１にて発生したノーマルフレーム用（ＳＦ＝８）の拡散コードを用いて逆拡散を行い、その逆拡散結果をＮシンボル加算器１０６ａ、１０６ｂに与える。
【００２６】
Ｎシンボル加算器１０６ａ、１０６ｂでは、１シンボルを構成する８チップ毎に加算結果をラッチし、時間（０）での１シンボルの相関値（０）を得る。そして、加算結果をシンボル毎にクリアし、次のシンボルに対しての累積加算を行う。これを１スロット内のパイロットシンボル（ここでは４シンボル）に対して行い、時間（０）での４シンボル分の相関値（０）を生成し、象限補正部１０２に与える。
【００２７】
象限補正部１０２では、Ｎシンボル加算器１０６ａ、１０６ｂが求めた１シンボル毎の相関値に対して、スロット番号、シンボル番号で予め決まったパイロットビットパターンに従って象限補正を行い、スロット加算部１０３に与える。
【００２８】
スロット加算部１０３では、象限補正した相関値を１シンボル毎に累積加算し、４シンボル（１スロット）分の加算結果を得ると、その累積加算結果を電力計算部１０４に与える。電力計算部１０４では、１スロット分の相関値から電力値（Ｉ２＋Ｑ２）を求め、それを時間（０）における遅延プロファイルとする。
【００２９】
次に、図３において、コンプレストフレームでは、ＳＦが「８」から１／２の「４」となり、１スロットのパイロットシンボル数が「４」から２倍の「８」となる。
【００３０】
相関器１００では、逆拡散器１０５にて受信ＩＱデータのパイロットシンボルに対して、コード発生器１０１にて発生したコンプレストフレーム用（ＳＦ＝４）の拡散コードを用いて逆拡散を行い、その逆拡散結果をＮシンボル加算器１０６ａ、１０６ｂに与える。
【００３１】
Ｎシンボル加算器１０６ａ、１０６ｂでは、ラッチタイミングを８チップ毎から４チップ毎に変更し、１シンボルを構成する４チップ毎に加算結果をラッチし、時間（０）での１シンボルの相関値（０）を得る。そして、加算結果をシンボル毎にクリアし、次のシンボルに対しての累積加算を行う。これを１スロット内のパイロットシンボル（ここでは８シンボル）に対して行い、時間（０）での８シンボル分の相関値（０）を生成し、象限補正部１０２に与える。
【００３２】
象限補正部１０２では、Ｎシンボル加算器１０６ａ、１０６ｂが求めた１シンボル毎の相関値に対して、スロット番号、シンボル番号で予め決まったパイロットビットパターンに従って象限補正を行い、スロット加算部１０３に与える。このときのパイロットビットパターンは、ノーマルフレームの場合と異なる。コンプレストフレームでは、先頭パイロットシンボル（１ｓｔ  Pilot Symbol）のパイロットビットパターンを同一スロット内の全てのパイロットシンボルに対して使用する。
【００３３】
スロット加算部１０３では、加算の制御タイミングを４シンボル用から８シンボル用に変更し、象限補正した相関値を１シンボル毎に累積加算し、８シンボル（１スロット）分の加算結果を得ると、その累積加算結果を電力計算部１０４に与える。電力計算部１０４では、１スロット分の相関値から電力値（Ｉ２＋Ｑ２）を求め、それを時間（０）における遅延プロファイルとする。
【００３４】
このように、従来では、ノーマルフレーム（ＳＦ＝８）であるかコンプレストフレーム（ＳＦ＝４）であるかを判断し、ノーマルフレーム（ＳＦ＝８）からコンプレストフレーム（ＳＦ＝４）に遷移した場合は、Ｎシンボル加算器１０６ａ、１０６ｂでは、ノーマルフレームでは８チップ毎にラッチするが、コンプレストフレームでは４チップ毎にラッチするように制御タイミングを変更する。また、スロット加算部１０３では、加算の制御タイミングを４シンボル用から８シンボル用に変更して対応している。
【００３５】
これに対して本実施の形態では、１シンボルを構成するチップ数がノーマルフレームでの１シンボルとコンプレストフレームでの２シンボルとで同じであること、またコンプレストモード時のパイロットビットパターンが、ノーマルモード時とは異なり、２シンボル毎に同じパターンであることを利用して、図４に示すように、制御タイミングをノーマルフレームでの遅延プロファイル作成時（図２）と同じにするようにしている。
【００３６】
すなわち、コンプレストフレームに移行した場合、拡散コードをコンプレストフレームの先頭のタイミングで変更し、図３では相関値を１シンボル毎に求めてから１スロット分を求めていた制御を、図４では２シンボル毎に求めてから１スロット分を求めるように変更して、図２と同じ制御タイミングになっている。加算するシンボル数は倍になるが、ＳＦが１／２になっているので、累積加算する総チップ数は変わらない。つまり、加算によって途中で演算ビット幅が増えるという問題も無いので、制御タイミングも変更しなくて良い。
【００３７】
２シンボル分まとめて求めた相関値は、パイロットビットパターンに従って象限補正を行う。この場合、パイロットビットパターンは、２シンボル繰り返しのビットパターンであるので、象限補正は必ず同じ方向になされる。したがって、２シンボル分まとめて１スロット分の相関値を求めても、１シンボル毎に１スロット分を求めた場合と同じ値が得られる。
【００３８】
最後に、象限補正した相関値を１スロット分同相加算し電力値を求め、時間（０）における遅延プロファイルとする。
【００３９】
このとき、図５に示すように、１シンボル当たりのチップ数がＣＰＩＣＨ（２５６チップ）よりも大きいスロットフォーマットの場合（図５では５１２チップ）は、累積加算するチップ数が増加しないように、１シンボルを分割して処理するように制御することで、演算ビット幅の増加を抑えることが出来る。
【００４０】
このように、本実施の形態によれば、ノーマルフレームとコンプレストフレームとで、制御タイミングを変更せずに遅延プロファイルの作成処理が行えるようになる。
【産業上の利用可能性】
【００４１】
本発明は、個別物理チャネルを用いて遅延プロファイルを作成する広帯域ＣＤＭＡ移動機において、頻繁に遷移するノーマルフレームとコンプレストフレームとでの遅延プロファイル作成制御の簡素化を図るのに好適である。
【図面の簡単な説明】
【００４２】
【図１】本発明の一実施の形態に係る同期制御装置の構成を示すブロック図
【図２】ノーマルフレームのある時間（０）での遅延プロファイル作成における制御タイミングを説明する図
【図３】図２に示すノーマル状態からコンプレストモード方式Ｂに移行した場合のコンプレストフレームでの遅延プロファイル作成における従来行われている制御タイミングを説明する図
【図４】図２に示すノーマル状態からコンプレストモード方式Ｂに移行した場合のコンプレストフレームでの遅延プロファイル作成における本実施の形態による制御タイミングを説明する図
【図５】１シンボル当たりのチップ数がＣＰＩＣＨよりも大きい場合に１シンボルを分割して処理する動作を説明する図
【符号の説明】
【００４３】
１００  相関器
１０１  コード発生器
１０２  象限補正部
１０３  スロット加算部
１０３ａ、１０３ｂ  １スロット加算器
１０４  電力計算部
１０５  逆拡散器
１０６ａ、１０６ｂ  Ｎシンボル加算器
【図１】
2006115338.tif 000003
【図２】
2006115338.tif 000004
【図３】
2006115338.tif 000005
【図４】
2006115338.tif 000006
【図５】
2006115338.tif 000007